(57)【要約】【課題】汎用性があり、且つ、光コネクタから光ファイバコードが外れ難い高い信頼性をもった光コネクタを提供する。【解決手段】本発明の一形態の光コネクタ１は、スプリング押し５の光ファイバ取付部２２の外周面の段差部２２ａに被さった保護チューブ８ｂを外方から光ファイバ取付部２２に向かって押圧する２つの半割れ体９０を係合してなる固定部材９を備え、これにより、光ファイバ取付部２２に保護チューブ８ｂを確実に固定している。【選択図】図２
2015184359.tif 000002
【特許請求の範囲】
【請求項１】
保護チューブで保護した光ファイバ素線の端末に組み立てられた光コネクタであって、
前記光コネクタにおけるフェルールを収容するハウジング本体の後端部に設けられ、前記フェルールから延出する前記光ファイバ素線を挿通すると共に外周面に前記保護チューブを固定する筒状構造部と、
前記筒状構造部に取り付けた際に、前記保護チューブを前記外周面との間に挟み込む内壁面を有する固定部材と、を備え、
前記筒状構造部の前記外周面および前記固定部材の前記内壁面のうちの一方には、前記保護チューブを押圧変形させることによって前記保護チューブを前記筒状構造部に固定する突出部を形成し、それらのうちの他方には、前記突出部の後側近傍に、前記保護チューブを屈曲させその引き抜きに対する抵抗となる段差部を形成したことを特徴とする光コネクタ。
【請求項２】
前記筒状構造部は、前記ハウジング本体を構成するスプリング押しに形成されていることを特徴とする請求項１に記載の光コネクタ。
【請求項３】
前記固定部材は、前記筒状構造部を囲むように配置される複数の分割体が組み合わされてなり、
前記複数の分割体を前記固定部材として組み合わせて前記筒状構造部に取り付けた時に、前記突出部によって前記保護チューブを押圧変形させた状態を維持する程度の剛性をそれぞれ有する請求項１又は２に記載の光コネクタ。
【請求項４】
前記保護チューブは、伸び率が１４０％以上であることを特徴とする請求項１から３までの何れか１項に記載の光コネクタ。
【請求項５】
前記保護チューブは、シリコンチューブであることを特徴とする請求項１から４までの何れか１項に記載の光コネクタ。
【請求項６】
前記筒状構造部の外径は、外力を受けていない前記保護チューブの内径よりも大きいことを特徴とする請求項１から５までの何れか１項に記載の光コネクタ。
【請求項７】
前記筒状構造部の前記外周面および前記固定部材の前記内壁面のうちの前記一方には、前記段差部より前側に平坦面が設けられており、前記固定部材を前記筒状構造部に取り付けた時に、前記突出部の稜線の一部分は、前記平坦面に沿って平行であることを特徴とする請求項１から６までの何れか１項に記載の光コネクタ。
【請求項８】
前記固定部材には、ブーツを取り付けるブーツ取付部が形成されていることを特徴とする請求項１から７までの何れか１項に記載の光コネクタ。
【請求項９】
前記ブーツ取付部およびブーツには、ブーツがブーツ取付部に対して位置ずれすることを防ぐための位置決め部が設けられていることを特徴とする請求項８に記載の光コネクタ。
【請求項１０】
請求項１から９までの何れか１項に記載の光コネクタに保護チューブを引き留める、保護チューブの引き留め方法であって、
前記光コネクタにおけるフェルールを収容するハウジング本体の後端部に設けられ、前記フェルールから延出する前記光ファイバ素線を挿通する筒状構造部の外周面に、前記保護チューブを被せて、前記保護チューブを前記外周面との間に挟み込む内壁面を有する固定部材を前記筒状構造部に取り付けて、
前記筒状構造部の前記外周面および前記固定部材の前記内壁面のうちの前記他方に形成した前記突出部の後側近傍において、それらのうちの前記一方に形成した前記段差部によって前記保護チューブを屈曲させ、且つ、前記突出部によって前記保護チューブを押圧変形させることによって前記保護チューブを前記筒状構造部に固定することを特徴とする保護チューブの引き留め方法。
【発明の詳細な説明】
【技術分野】
【０００１】
本発明は、光コネクタに関し、特に、保護チューブで保護した光ファイバ素線の端末に組み立てる光コネクタおよび保護チューブの引き留め方法に関する。
【背景技術】
【０００２】
光コネクタとして、例えば、JIS C 5973に規定されるＳＣ形光コネクタ等の単心光ファイバコネクタや、JIS C 5982に規定されるＦ１３形多心光ファイバコネクタ（いわゆるＭＰＯコネクタ）が知られている。光コネクタは、その基本構造として、光ファイバの先端部を挿通固定した光フェルールと、光フェルールを付勢するコイルスプリングと、コイルスプリングの反力を受け止めるスプリング押しとをコネクタハウジング内に収容し、スプリング押しの後部に光ファイバのコネクタ口部近傍を保護するゴムブーツを取り付けた構造を有している。この光コネクタを、アダプタに嵌入させると、当該アダプタに反対側から嵌入した相手側光コネクタと光フェルール同士が突き合わされて、光ファイバ同士が光接続される。
【０００３】
このような基本構造を有するコネクタの一例として、特許文献１および２に開示されているものがある。
【０００４】
特許文献１には、フェルールの抜けを防止する係止手段を構成するストッパを備えたコネクタが開示されている。このコネクタは、ストッパの外周面上を光ファイバコードの抗張力体で覆ったところを更にかしめ部でかしめて、ストッパに光ファイバコードを取り付けている。
【０００５】
また、特許文献２には、コネクタハウジングの一部を構成する円筒形状のストップリングの内側に、ファイバ素線を挿通したルースチューブが配置された光コネクタが開示されている。このルースチューブの外側には金属製のカシメパイプが配置されており、カシメパイプがルースチューブの外方から均一な状態で縮径されることによって、ファイバ素線をルースチューブ内のほぼ中心に固定している。
【先行技術文献】
【特許文献】
【０００６】
【特許文献１】特開２００４−１０２０７２号公報（２００４年４月２日公開）
【特許文献２】特開２００６−３０２８７号公報（２００６年２月２日公開）
【発明の概要】
【発明が解決しようとする課題】
【０００７】
しかしながら、特許文献１の構成は、かしめ部が繊維状の抗張力体をかしめているため、光コネクタ（具体的にはストッパ）に光ファイバコードが確実に固定できていない虞がある。例えば、光コネクタの後方において光ファイバコードに張力がかかった場合に、かしめ部から抗張力体が抜けて、光コネクタ内で光ファイバ素線が断線するなどの虞がある。
【０００８】
また、特許文献２のようにファイバ素線が挿通したルースチューブをかしめる態様は、単心光ファイバコネクタであれば適用できるものの、上述したような多心光ファイバコネクタに適用しようとすると、かしめられた部分において光ファイバ同士が接触して折れるなどの虞がある。
【０００９】
また、特許文献１のかしめ部、および特許文献２のカシメパイプは、単一の管状体であることから、ファイバ素線を光フェルールに挿通固定する前に、かしめ部あるいはかしめパイプにファイバ素線を挿通させておく必要があり、十分な余長の無いファイバ素線の前記挿通固定の作業の際に、予め挿通させておいたかしめ部あるいはかしめパイプが障害になることもある。
【００１０】
そこで、本発明はこれらの問題に鑑みてなされたものであり、その目的は、単心光ファイバコネクタにも多心光ファイバコネクタにも適用できて汎用性があり、且つ、光コネクタから光ファイバ素線が外れ難い高い信頼性をもった光コネクタおよび保護チューブの引き留め方法を提供することにある。
【課題を解決するための手段】
【００１１】
本発明に係る光コネクタは、上述の課題を解決するために、
保護チューブで保護した光ファイバ素線の端末に組み立てられた光コネクタであって、
前記光コネクタにおけるフェルールを収容するハウジング本体の後端部に設けられ、前記フェルールから延出する前記光ファイバ素線を挿通すると共に外周面に前記保護チューブを固定する筒状構造部と、
前記筒状構造部に取り付けた際に、前記保護チューブを前記外周面との間に挟み込む内壁面を有する固定部材と、を備え、
前記筒状構造部の前記外周面および前記固定部材の前記内壁面のうちの一方には、前記保護チューブを押圧変形させることによって前記保護チューブを前記筒状構造部に固定する突出部を形成し、それらのうちの他方には、前記突出部の後側近傍に、前記保護チューブを屈曲させその引き抜きに対する抵抗となる段差部を形成したことを特徴としている。
【００１２】
前記の構成によれば、突出部および段差部によって、筒状構造体の外周面に配置された保護チューブを屈曲させて筒状構造体の外周面に対する摩擦抵抗が増す。このため、保護チューブが筒状構造体の外周面に引き留められ、光ファイバ素線が筒状構造体から外れ難い。したがって、光ファイバコードを構成する繊維状の抗張力体をかしめる従来構成に比べ、光ファイバコードが外れ難い高い信頼性をもった光コネクタを提供することができる。
【００１３】
また、前記の構成によれば、保護チューブは、固定部材と筒状構造体の外周面との間において変形していることから、筒状構造体の貫通穴を挿通する光ファイバ素線には外力が及ばない。すなわち、筒状構造体の貫通穴には、光ファイバ素線を挿通させる空間が確保されている。そのため、当該空間に多心光ファイバを配設することができる。したがって、本発明に係る光コネクタは、単心光ファイバコネクタのみならず、多心光ファイバコネクタとしても適用することができて汎用性がある。
【００１４】
また、前記の構成によれば、固定部材が複数の分割体を組み合わせたものであることから、先述したようにファイバ素線をフェルールに挿通固定する前に、固定部材にファイバ素線を挿通させておく必要がなく、光コネクタを組み立てる際の固定部材の設置作業を容易におこなうことができる。
【００１５】
また本発明に係る光コネクタは、前記の構成に加えて、
前記筒状構造部は、前記ハウジング本体を構成するスプリング押しに形成されている。
【００１６】
また本発明に係る光コネクタは、前記の構成に加えて、
前記固定部材は、前記筒状構造部を囲むように配置される複数の分割体が組み合わされてなり、
前記複数の分割体を前記固定部材として組み合わせて前記筒状構造部に取り付けた時に、前記突出部によって前記保護チューブを押圧変形させた状態を維持する程度の剛性をそれぞれ有する。
【００１７】
また本発明に係る光コネクタは、前記の構成に加えて、
前記保護チューブは、伸び率が１４０％以上であることが好ましい。
【００１８】
前記の構成によれば、保護チューブは、変形しやすく、突出部および凸部を含む、固定部材における保護チューブに対向する面および筒状構造体の外周面に対する摩擦が生じやすくなる。
【００１９】
具体的には、前記保護チューブは、シリコンチューブである。
【００２０】
また本発明に係る光コネクタは、前記の構成に加えて、
前記筒状構造部の外径は、外力を受けていない前記保護チューブの内径よりも大きい構成とすることができる。
【００２１】
上記の構成によれば、筒状構造部の外周面に被せた保護チューブは拡径方向に拡がり当該外周面に対する摩擦抵抗が増すため、より一層、外周面から外れ難くなる。
【００２２】
また本発明に係る光コネクタは、前記の構成に加えて、
前記筒状構造部の前記外周面および前記固定部材の前記内壁面のうちの前記一方には、前記段差部より前側に平坦面が設けられており、前記固定部材を前記筒状構造部に取り付けた時に、前記突出部の稜線の一部分は、前記平坦面に沿って平行である。
【００２３】
また本発明に係る光コネクタは、前記の構成に加えて、
前記固定部材には、ブーツを取り付けるブーツ取付部が形成されている。
【００２４】
前記の構成によれば、固定部材は、筒状構造体の外周面への保護チューブの固定だけでなく、ブーツの取り付け部材としての機能を兼ね備えている。そのため、ブーツの取り付け部材を別途設ける必要がなく、部品点数の削減に寄与することができる。
【００２５】
また本発明に係る光コネクタは、前記の構成に加えて、
前記ブーツ取付部およびブーツには、ブーツがブーツ取付部に対して位置ずれすることを防ぐための位置決め部が設けられている。
【００２６】
また本発明に係る保護チューブの引き留め方法は、
前記光コネクタに保護チューブを引き留める、保護チューブの引き留め方法であって、
前記光コネクタにおけるフェルールを収容するハウジング本体の後端部に設けられ、前記フェルールから延出する前記光ファイバ素線を挿通する筒状構造部の外周面に、前記保護チューブを被せて、前記保護チューブを前記外周面との間に挟み込む内壁面を有する固定部材を前記筒状構造部に取り付けて、
前記筒状構造部の前記外周面および前記固定部材の前記内壁面のうちの前記他方に形成した前記突出部の後側近傍において、それらのうちの前記一方に形成した前記段差部によって前記保護チューブを屈曲させ、且つ、前記突出部によって前記保護チューブを押圧変形させることによって前記保護チューブを前記筒状構造部に固定することを特徴としている。
【００２７】
上記の構成によれば、先述したように光ファイバコードが外れ難い高い信頼性をもった光コネクタを提供することができる。
【発明の効果】
【００２８】
本発明によれば、単心光ファイバコネクタにも多心光ファイバコネクタにも適用できて汎用性がある。また、筒状構造体の外周面に配置された保護チューブの端部を、突出部および凸部を含む、固定部材における保護チューブに対向する面と、筒状構造体の外周面との間で変形させてこれらの面に対する摩擦抵抗を増加させていることから、スプリング押しに光ファイバコードをしっかり固定でき、高い信頼性を有する光コネクタを提供することができるという効果を奏する。
【図面の簡単な説明】
【００２９】
【図１】（ａ）は、本発明の一実施形態に係る光コネクタの平面図であり、（ｂ）は、（ａ）の平面断面図である。
【図２】図１に示す光コネクタの部分分解図である。
【図３】図１に示す光コネクタの部分断面図である。
【図４】図１に示す光コネクタの一部の平面断面図である。
【図５】図１に示す光コネクタの組み立て手順を示す部分断面図である。
【図６】図１に示す光コネクタの変形例を示す部分断面図である。
【発明を実施するための形態】
【００３０】
以下、本発明の一実施形態について、図１〜図５に基づいて説明する。
【００３１】
図１は、本発明の一実施形態に係る光コネクタの構成を示し、図１中の（ａ）は、本発明の一実施形態に係る光コネクタの平面図であり、図１中の（ｂ）は、（ａ）の平面断面図である。また、図２は、図１に示す光コネクタの一部を示す部分分解図である。また、図３は、図１に示す光コネクタの一部を示す部分断面図である。
【００３２】
〔１〕光コネクタの構成
図１に示す本実施形態の光コネクタ１は、光ファイバコードの保護チューブにより保護された光ファイバ素線の端末に組み立てられた光コネクタであり、JIS C 5982に規定されるＦ１３形多心光ファイバコネクタ、いわゆるＭＰＯコネクタに概ね相当する。なお、本発明に係る光コネクタは、多心光ファイバコネクタに限らず、単心光ファイバコネクタにも適用できる。
【００３３】
光コネクタ１は、コネクタハウジング２（ハウジング）、光フェルール３（フェルール）、コイルスプリング４、スプリング押し５（ハウジング本体、筒状構造部）、カップリング６、カップリング用スプリング７、固定部材９およびゴムブーツ１０（ブーツ）を備えている。
【００３４】
光コネクタ１は、コネクタハウジング２内に、光ファイバの先端部を挿通固定し成端した光フェルール３、および、この光フェルール３を前方に付勢するコイルスプリング４を収容し、前記コネクタハウジング２の後端側にスプリング押し５を取り付けて、このスプリング押し５で前記コイルスプリング４の反力を受けるようにしている。また、コネクタハウジング２の外周に、コネクタ接続部材であるアダプタ（不図示）に対する着脱のためのカップリング６をカップリング用スプリング７とともに装着している。更に、前記スプリング押し５の後部に、光ファイバコード８のコネクタ口部をスプリング押し５に固定する固定部材９と、光ファイバコード８のコネクタ口部近傍を保護するゴムブーツ１０とを取り付けている。
【００３５】
光コネクタ１をコネクタ接続部材であるアダプタに嵌入すると、カップリング６が後退しコネクタハウジング２の係合凹所２ｃがアダプタ側の係合爪と係合してアダプタに装着され、このアダプタに反対側から嵌入した相手側光コネクタと光フェルール３同士が突き合わされて、光ファイバ同士が光接続される。
【００３６】
以上が本実施形態の光コネクタ１の基本構造である。以下に各構成について説明する。
【００３７】
＜光ファイバコード８＞
光ファイバコード８は、複数本の光ファイバ素線を有した素線部８ａ（光ファイバ素線）と、この素線部８ａの外周を被覆し保護する保護チューブ８ｂとを有する。本実施形態の光コネクタ１は、保護チューブにより保護された光ファイバ素線の端末に組み立てられた光コネクタであるといえる。
【００３８】
素線部８ａの各光ファイバ素線は、裸ファイバ（以下、光ファイバと称する）に一次被覆を施したもので、例えば外径が０．２５ｍｍである。
【００３９】
保護チューブ８ｂは、伸び率１４０％以上、好ましくは伸び率２００％以上を有する弾性変形可能な被覆材から構成されている。具体例としては、例えば、シリコンチューブが挙げられる。しかしながら、これに限定されるものではなく、合成ゴム、天然ゴム、ナイロン、ハイトレル、フッ素系樹脂（ＥＴＦＥ、ＴＴＦＥ）、テフロン（登録商標）などから保護チューブ８ｂを構成することも可能である
光ファイバコード８は、図１（ｂ）に示すように、ゴムブーツ１０内を挿通している領域では素線部８ａを保護チューブ８ｂが被覆した状態で存在する。そして、固定部材９に挿通している領域の途中、具体的には、スプリング押し５の光ファイバ取付部２２（筒状構造部）よりもゴムブーツ１０側において保護チューブ８ｂが素線部８ａから解離して、スプリング押し５の光ファイバ挿通用貫通穴１６内は素線部８ａのみが挿通する一方、素線部８ａから解離した保護チューブ８ｂは、光ファイバ取付部２２の外周面に被さっている。
【００４０】
なお、スプリング押し５から光フェルール３に至るまでの間においては、素線部８ａを構成する複数の光ファイバ素線は、互いに平行に配列してテープファイバ状に構成されている。
【００４１】
なお、図１（ｂ）、図２、図３、図５では、素線部８ａとして三本の光ファイバ素線を図示している。しかしながら、実際の素線部８ａは、例えば１２×２＝２４芯（光ファイバ素線本数が２４本）、あるいは１２×４＝４８芯（光ファイバ素線本数が４８本）の多心光ファイバである。
【００４２】
＜光フェルール３＞
光フェルール３は、いわゆるＭＴ（ｍｅｃｈａｎｉｃａｌｌｙ ｔｒａｎｓｆｅｒａｂｌｅ）フェルールと呼ばれる多心コネクタ用のフェルールであり、光コネクタ１の前端（アダプタ嵌入側の先端）に在って、光ファイバの先端部を挿通固定している。
【００４３】
光フェルール３のアダプタ嵌入側の先端面には、光フェルール３の内部を通った光ファイバが露出して、光接続端面が形成されている。光ファイバは、光フェルール３に対して接着剤によって固着されていてもよい。
【００４４】
また、光フェルール３には、光フェルール３の前部（アダプタ嵌入側の先端面）から後部に向かってピン穴３ａが設けられている。ピン穴３ａは、光フェルール３における光ファイバ挿通領域を図１（ｂ）の上下方向に挟んだ二箇所に設けられている。このピン穴３ａには、相手側多心用光フェルールと突き合わせ接続する際に、相手側多心用光フェルールの後部に取り付けられたピンクランプによって保持された位置決め用ガイドピンが挿入される構成となっている。
【００４５】
光フェルール３の後部には、ピン基台２３が取り付けられており、前記ピン穴３ａに挿入された相手側コネクタの位置決め用ガイドピンは、このピン基台２３に接触する。
【００４６】
＜コイルスプリング４＞
コイルスプリング４は、光フェルール３をアダプタ嵌入方向に付勢するバネである。コイルスプリング４は、光フェルール３の後部に取り付けられたピン基台２３と、スプリング押し５との間に配設される。
【００４７】
＜スプリング押し５＞
スプリング押し５は、コイルスプリング４の反力を受けるべく、コイルスプリング４を挟んで光フェルール３およびピン基台２３の反対側に配設されている。スプリング押し５は、図２に示すように二つの半体１５に分割されており、これら二つの半体１５を互いに向かい合わせて突き合わせた時に、図１（ｂ）に示すようなスプリング押しの構造となっており、突き合わせた境界部分に光ファイバを通す光ファイバ挿通用貫通穴１６が形成されるよう、各半体１５には、図２に示す半円状凹所１６´が形成されている。
【００４８】
スプリング押し５の光フェルール３側には、コイルスプリング４の反力を受けるスプリング受け部１７が設けられている。
【００４９】
また、スプリング押し５は、図１（ｂ）に示すコネクタハウジング２の係合穴２ａと係合する係合爪１８を持っている。係合爪１８は、スプリング押し５の基部２０の前方側に延出するコネクタ幅方向両側（図１（ｂ）で上下両側）の一対のアーム部２１のそれぞれ先端部の外側面に形成されている。また、前記一対のアーム部２１のそれぞれの先端部に、前方に面した平坦部５５とその中央付近に前方に突出した突部５６とを形成している。前記スプリング受け部１７は、平坦部５５および突部５６によって構成される。
【００５０】
また、図２に示すように各アーム部２１における基部２０側の付け根から前記突部５６までの部分をコネクタ幅方向内側に厚い肉厚部２８として、その肉厚部２８の先端部に前記平坦部５５を形成し、前記アーム部先端部の係合爪１８は、アーム部２１における前記突部５６のコネクタ幅方向外側に形成される肉薄部２９の外面に形成されている。
【００５１】
基部２０は、コネクタ幅方向（一対のアーム部２１が対向する方向）の両側に突出部２０ａを持ち、この突出部２０ａは図１（ｂ）に示すコネクタハウジング２の後端部に形成された段差状拡径部２ｄの内側に収まり、この突出部２０ａと段差状拡径部２ｄとの係合および前記係合爪１８と係合穴２ａとの係合によって、コネクタハウジング２の後端側に固定されている。基部２０の中央部２０ｂの外周は湾曲面となっている。
【００５２】
基部２０の後端には、光ファイバ挿通用貫通穴１６と同軸の貫通穴が形成された円筒状の光ファイバ取付部２２が形成されている。以下では、光ファイバ取付部２２の貫通穴も光ファイバ挿通用貫通穴１６と称する。
【００５３】
先述したように、スプリング押し５は、図２に示すように２つの半体１５を組み立ててなる。そのため、各半体１５には、基部２０の片側半分、突出部２０ａの片側半分、中央部２０ｂの片側半分、対をなしたスプリング受け部１７の片側、一方の係合爪１８を持つ一方のアーム部２１、および光ファイバ取付部２２の片側半分が設けられていると換言できる。
【００５４】
更に、図２に示すように、各半体１５には、突き合せ時に接合する面である接合面２０ｅにおける、半円状凹所１６´を挟んで片側の領域に２つの係合突起２６が形成され、その反対側の領域に２つの係合穴２７が形成されている。両半体１５を互いに対向させて突き合わせた時、一方の半体１５の係合突起２６が他方の半体１５の係合穴２７に嵌入して、両半体１５が結合し、互いに固定される。なお、接合面２０ｅに接着剤を塗布して更に堅固に固定するようにしてもよい。なお、接合面２０ｅを、係合突起２６および係合穴２７等の構造的な接合手段を持たない単なる平坦面として、単に接着剤で接合してもよい。
【００５５】
半体１５は例えばＰＢＴ（ポリブチレンテレフタレート）等の樹脂成形品である。
【００５６】
先述した円筒状の光ファイバ取付部２２の外周面には、図３に示すように、光ファイバコード８の保護チューブ８ｂが被さっており、光ファイバ取付部２２の内周部（以下、ここも光ファイバ挿通用貫通穴１６と称する）に素線部８ａが挿通されている。換言すれば、素線部８ａの外周面と保護チューブ８ｂの内周面との間に光ファイバ取付部２２が嵌入した状態となっている。
【００５７】
なお、保護チューブ８ｂを光ファイバ取付部２２の外周面に被せる前の状態のときも、また、保護チューブ８ｂが光ファイバ取付部２２の外周面に被さった状態のときも、更に、固定部材９が光ファイバ取付部２２の外周面上の保護チューブ８ｂを覆って取り付けられて固定部材９の一部が保護チューブ８ｂを光ファイバ取付部２２に向かって押圧している状態のときも、ファイバ挿通用貫通穴１６の径、すなわち光ファイバ取付部２２の内径は変化せずに一定である。これにより、ファイバ挿通用貫通穴１６は、挿通させた素線部８ａを圧迫せず、圧迫による素線部８ａの変形や折れを回避することができる。
【００５８】
なお、ファイバ挿通用貫通穴１６の径、すなわち光ファイバ取付部２２の内径は必ずしも一定でなくてもよいが、終始一貫してファイバ挿通用貫通穴１６は、挿通させた素線部８ａを圧迫しない径を有している必要がある。例えば、保護チューブ８ｂが光ファイバ取付部２２の外周面に被さったとき、あるいは、固定部材９が光ファイバ取付部２２の外周面上の保護チューブ８ｂを覆って保護チューブ８ｂを光ファイバ取付部２２に向かって押圧したときに、ファイバ挿通用貫通穴１６が僅かに縮径してもよいが、縮径後もファイバ挿通用貫通穴１６は、挿通させた素線部８ａを圧迫しない径を有している必要がある。
【００５９】
また、図２および図３に示すように、光ファイバ取付部２２の外周面の後端側には、外周面に被せた保護チューブ８ｂの内周面に当接して、保護チューブ８ｂを光ファイバ取付部２２の外周面から外れ難くくするための段差部２２ａ（図２および図３）が形成されている。段差部２２ａは、保護チューブ８ｂを屈曲させることによって、光ファイバ取付部２２の外周面に対する保護チューブ８ｂの摩擦抵抗を増加させることに寄与している。段差部２２ａは、光ファイバ取付部２２を構成する円筒の肉厚を薄くするように光ファイバ取付部２２の外周面側からその一部を切り欠くことによって、切り欠いた部分に隣接して形成することができる。本実施形態では、光ファイバ取付部２２の外周面の前端側に形成された当該切り欠かれた部分は、平坦面２２ｂとして構成される。
【００６０】
また、光ファイバ取付部２２の外周面に被さった保護チューブ８ｂが段差部２２ａと平坦面２２ｂとの段差（特にその角部）によって破れたり裂けたりすることがないように、平坦面２２ｂと段差部２２ａとの間には傾斜面２２ｃが形成されており、段差部２２ａの角部が鈍角を有して保護チューブ８ｂを傷つけないようになっている。傾斜面２２ｃは、平坦面２２ｂに対して４５°以上９０°未満の角度を有して傾斜していることが好ましい。なお、傾斜面２２ｃは湾曲面であってもよい。なお、図３では段差部２２ａを構成する複数の面同士の境界に角部が形成されているが、段差部は、当該角部が無いラウンド形状を有していてもよい。また、別の形状として、段差部の外周面に溝が形成されていてもよい。
【００６１】
光ファイバ取付部２２の外周面の、段差部２２ａ形成位置における外径（図３中のＴＡ）は、外力を受けていない前記保護チューブの内径（図３中のＴＢ）よりも大きい。これにより、段差部２２ａに被せた保護チューブ８ｂは拡径方向に拡がり光ファイバ取付部２２の外周面に対する摩擦抵抗が増すため、保護チューブ８ｂがより一層外周面から外れ難い。
【００６２】
なお、段差部２２ａは、上述のように光ファイバ取付部２２の一部を切り欠くことによって形成する方法に限定されない。段差部２２ａを配設する目的は、段差に保護チューブ８ｂを被せて保護チューブ８ｂを伸ばして光ファイバ取付部２２の外周面に対する摩擦抵抗を生じさせることによって保護チューブ８ｂを外周面に引き留めて、素線部８ａを外れ難くすることにある。その目的を実現することができるのであれば、切り欠いて段差部２２ａを形成する方法に限らず、例えば、光ファイバ取付部２２の外周面の後端側において、前端側よりも、光ファイバ取付部２２の外径が拡径するほうに突出した部分を設けて、この突出した部分を突出部として構成してもよい。
【００６３】
段差部２２ａを設けることにより、被せた保護チューブ８ｂを屈曲変形させて、光ファイバ取付部２２の外周面との摩擦抵抗を高め、保護チューブ８ｂが光ファイバ取付部２２の外周面から外れ難くなる。
【００６４】
なお、光ファイバ取付部２２の外周面には、更に、外周面に被せた保護チューブ８ｂの内周面に当接して、保護チューブ８ｂを押圧部９１の内周壁に向かって押圧する、当該内周面に向かって突出する突出部が形成されていてもよい。
【００６５】
＜固定部材９＞
固定部材９は、図２に示す二つの半割れ体９０（複数の分割体）を係合させてなる。二つの半割れ体９０（複数の分割体）は光ファイバ取付部２２の外周面を囲むように配置されており、半割れ体９０同士を係合させることによって、後述する押圧部９１およびゴムブーツ取付部９２を具備する固定部材９を実現している。すなわち、各半割れ体９０には、後述する押圧部９１の片側半分およびゴムブーツ取付部９２の片側半分が形成されている。二つの半割れ体９０は、固定部材９として組み合わせて光ファイバ取付部２２に取り付けた時に、後述する突出部９３によって保護チューブ８ｂを押圧変形させた状態を維持する程度の剛性をそれぞれが有している。以下、その固定部材９について説明する。
【００６６】
固定部材９は、図１（ｂ）に示すように光ファイバ取付部２２を覆うように配された押圧部９１を有している。
【００６７】
押圧部９１は、円筒形状の光ファイバ取付部２２と略同心円を構成する内周壁（内壁面）を有し、この内周壁が、光ファイバ取付部２２の外周面に被さった保護チューブ８ｂを覆う。
【００６８】
そして、本実施形態では、押圧部９１の内周壁に、図３に示すように縮径方向に突出した突出部９３が設けられている。突出部９３は、二つの半割れ体９０それぞれに設けられている。光ファイバ取付部２２の外周面には、先述したように段差部２２ａと平坦面２２ｂが形成されており、平坦面２２ｂおよび段差部２２ａに保護チューブ８ｂが被さっている。押圧部９１の内周壁に設けられた突出部９３は、平坦面２２ｂに対向する位置にあって、平坦面２２ｂとの間で保護チューブ８ｂを平坦面２２ｂに向けて押圧する。突出部９３から押圧を受けた保護チューブ８ｂは、突出部９３と平坦面２２ｂとの間において変形して厚さが薄くなっている。
【００６９】
なお、本願明細書において記載する「保護チューブ８ｂの厚さ」とは、保護チューブ８ｂの層厚のことである。なお、保護チューブ８ｂの厚さを２倍して、それに素線部８ａの径を加算したものが、光ファイバコード８の径である。
【００７０】
突出部９３の突出長は、押圧部９１の内周壁における突出部９３以外の領域と、平坦面２２ｂとの間の離間距離よりも、突出部９３の突出先端部と、平坦面２２ｂとの間の離間距離が小さく、且つ、保護チューブ８ｂが突出部９３の押圧を受けて裂けてしまうことがない程度の当該離間距離を有する程度に構成されている。このように離間距離を設計していることから、金属製のかしめ部によってかしめる構成と比較して、簡易且つ確実に保護チューブ８ｂを光ファイバ取付部２２の外周面に取り付けることができる。なぜなら、金属製のかしめ部は、外力を加えて縮径させなければならず、外力の大きさの調整が容易でなく、かしめ過ぎればチューブにかしめ部がくい込んでチューブを傷つける虞があり、弱くかしめればチューブを固定することができない。これに対して、押圧部９１は、先述した離間距離を実現できるように内周壁および突出部９３を設計すればよいため、簡易且つ確実に保護チューブ８の固定をすることができる。
【００７１】
なお、本実施形態では、突出部９３は図３に示すように断面三角形を有しているが、保護チューブ８ｂを押圧することができる形状であれば、断面三角形に限定されるものではない。
【００７２】
また、本実施形態では、押圧部９１の内周壁における突出部９３よりも前端側の領域では、光ファイバ取付部２２の平坦面２２ｂとの間に在る保護チューブ８ｂを平坦面２２ｂに向けて押圧していない。
【００７３】
このように突出部９３は、光ファイバ取付部２２の外周面に被さった保護チューブ８ｂを、外方から光ファイバ取付部２２に向かって押圧することにより、保護チューブ８ｂを押圧変形させて、光ファイバ取付部２２に保護チューブ８ｂを確実に取り付ける（固定する）ことができるという効果を奏する。
【００７４】
なお、突出部９３は、図３に示すように周方向に沿って一部分に形成されているが、周方向に沿って全周に形成されていてもよい。更に、本実施形態では、光ファイバの長手方向に対して突出部９３は１箇所しか設けられていないが、突出部９３は光ファイバの長手方向に複数個設けられていてもよい。
【００７５】
ここで、突出部９３の稜線の一部分は、光ファイバ取付部２２の外周面に形成された平坦面２２ｂに沿って平行である。これにより、突出部９３が平坦面２２ｂに向けて保護チューブ８ｂを均等な力で押圧することができる。
【００７６】
ここで、本実施形態では、円筒の保護チューブ８ｂを光ファイバ取付部２２の外周面に被せるのではなく、図２に示すように円筒の保護チューブ８ｂの一部が光ファイバコードの長手方向に切り欠かれて形成される二つの切片部分が、光ファイバ取付部２２の外周面に被さっている。しかしながら、本発明は、光ファイバ取付部２２の外周面に被さっている保護チューブ８ｂが図２のように二つの切片部分の形態である必要はなく、次のような変形例（１）又は（２）であっても適用できる。
【００７７】
・変形例（１）
円筒の保護チューブ８ｂに光ファイバコードの長手方向に延在する開裂箇所を設けて当該開裂箇所において開裂した保護チューブ８ｂを光ファイバ取付部２２の外周面に被せる。
【００７８】
・変形例（２）
切り欠きや開裂を設けることなく円周の保護チューブ８ｂをそのまま光ファイバ取付部２２の外周面に被せる。保護チューブ８ｂは弾性変形する材料から構成されるため、切り欠きや開裂を設けていない保護チューブ８ｂであって光ファイバ取付部２２の外周面に被せることができる。このとき、光ファイバ取付部２２の外径が保護チューブ８ｂの内径よりも大きい場合であっても、切り欠きや開裂を設けていない保護チューブ８ｂは、その弾性力によって光ファイバ取付部２２の円筒をその外方から締め付けることによって光ファイバ取付部２２の外周面上に留まり、光ファイバ取付部２２の外周面への保護チューブ８ｂの固定に寄与する。
【００７９】
以上が変形例（１）および（２）である。
【００８０】
本実施形態では、以上のように、押圧部９１の内周壁のうちの一部（すなわち、突出部９３）のみが、光ファイバ取付部２２の外周面に被さった保護チューブ８ｂを光ファイバ取付部２２の外周面に向かって押圧している。しかしながら、本発明はこれに限定されるものではない。例えば、次のような構成であってもよい。
【００８１】
例えば、押圧部９１の内周壁の全体、すなわち、突出部９３および突出部９３よりも前端側の領域が、保護チューブ８ｂを光ファイバ取付部２２の外周面に向かって押圧する構成としてもよい。この場合、押圧部９１の内周壁の内径（押圧部９１の内周壁の内径は、突出部９３の部分が最も小さく、突出部９３よりも前端側の領域が最も大きい）が、この内周壁と光ファイバ取付部２２の外周面との間に、光ファイバ取付部２２の外周面に被せた保護チューブ８ｂの厚さよりも小さい（薄い）間隙が形成されるように、設計されている。これにより、光ファイバ取付部２２に被さった保護チューブ８ｂを覆うように２つの半割れ体９０を係合すると、押圧部９１の内周壁全体が保護チューブ８ｂを弾性変形させて光ファイバ取付部２２に押し付けて固定する。
【００８２】
固定部材９は、押圧部９１の後部（ゴムブーツ側）に、ゴムブーツ１０が取り付けられるゴムブーツ取付部９２を有している。
【００８３】
ゴムブーツ取付部９２の外径は、ゴムブーツ１０の内径よりも僅かに大きく構成されている。ゴムブーツ取付部９２にゴムブーツ１０を取り付けるとその部分においてゴムブーツ１０は弾性変形して内周が径方向に拡がり、復元力によってゴムブーツ取付部９２を締め付ける。
【００８４】
また、ゴムブーツ取付部９２の外径は前記押圧部９１の外径よりも小さく、固定部材９には、押圧部９１とゴムブーツ取付部９２との境界付近に、ゴムブーツ１０に設けられた突起部を収容する凹部が設けられている。これについて、図４を用いて説明する。
【００８５】
図４は、固定部材９とゴムブーツ１０との嵌合形態を示す図である。なお、図４は、図３に示した断面に垂直な断面において固定部材９とゴムブーツ１０との嵌合形態を示している。
【００８６】
図４に示すように、ゴムブーツ取付部９２における押圧部９１近接部分に、ゴムブーツ取付部９２の中心軸方向に延在した、ゴムブーツ取付部９２の外方から光ファイバコード挿通側に向かって貫通した第一凹部９ｃ（位置決め部）が設けられている。第一凹部９ｃは、ゴムブーツ取付部９２の中心軸を挟んで対向する箇所にそれぞれ設けられている。なお、この中心軸は、光ファイバコード８の中心軸と略一致する。一方、ゴムブーツ１０には、この第一凹部９ｃにゴムブーツ取付部９２の外方から挿入する縮径方向に突出した第一突起部１０ｂ（位置決め部）が設けられている。各第一凹部９ｃに第一突起部１０ｂが収容（挿入）されることによって、中心軸方向のゴムブーツ１０の移動が規制されることからゴムブーツ１０を固定部材９から外れにくくしている。なお、第一凹部９ｃは、貫通していてよい。
【００８７】
また、図３に示すように、ゴムブーツ取付部９２と押圧部９１との間には、更に第二凹部９ｄ（位置決め部）が設けられている。第二凹部９ｄは、ゴムブーツ取付部９２の中心軸を挟んで対向する箇所にそれぞれ設けられており、第二凹部９ｄと第一凹部９ｃとは、中心軸において直角をなす位置関係にある。各第二凹部９ｄは、挿通する光ファイバコード８の外周に沿って円弧形状を有している。一方、ゴムブーツ１０には、固定部材９側の端面からスプリング押し５に向かって突出した第二突起部１０ｃ（位置決め部）が設けられている。第二突起部１０ｃは前記第二凹部９ｄに挿入できるように光ファイバコード８の外周に沿って円弧形状を有しており、前記第二凹部９ｄに第二突起部１０ｃが収容（挿入）されることによって、ゴムブーツ取付部９２の中心軸を回転軸としてゴムブーツ１０が回転することを防ぐことができる。なお、本実施形態では、ゴムブーツ１０に突起部を設けて、これを固定部材９に設けた凹部に挿入しているが、本発明はこれに限定されるものではなく、ゴムブーツ１０に設けた凹部に固定部材９に設けた突起部を挿入する構成であってもよい。
【００８８】
固定部材９としては、剛性を有する材料から形成することができる。なお、剛性を有するとは、固定部材９自体が変形して内周壁によって規定される内径が縮径するような構成ではないことを意味する。固定部材９は、例えば、樹脂成型品を用いることができる。なお、金属から構成することも可能である。
【００８９】
なお、本実施形態では、固定部材９を二つの半割れ体９０から構成しているが、二つではなく、三つ以上の分割体によって固体部材９を構成してもよい。
【００９０】
＜ゴムブーツ１０＞
ゴムブーツ１０には、周方向に延びる細い長穴１０ａが形成されており、これにより、ゴムブーツ１０を柔軟に屈曲させることができる。ゴムブーツ１０は、一般的なゴムブーツであってもよいが、一般的なものと比べて細型であってもよい。
【００９１】
なお、ゴムブーツは本発明に係る光コネクタの必須構成ではない。
【００９２】
〔２〕光コネクタの組み立て
本実施形態の光コネクタ１の組み立てに際しては、先ず、２つの半体１５を被せてスプリング押し５を形成する（図５（ａ））。
【００９３】
光ファイバコード８は、その一端から所定の長さほど保護チューブ８ｂを除去して素線部８ａを露出させて、残った保護チューブ８ｂの先端を例えば図２に示すように切り欠く。そして、露出した素線部８ａをスプリング押し５の光ファイバ挿通用貫通穴１６に通し、光ファイバ取付部２２の外周面に保護チューブ８ｂを被せる（図５（ａ））。
【００９４】
次いで、光ファイバ取付部２２の外周面に被せた保護チューブ８ｂに、２つの半割れ体９０の押圧部９１の内周壁を対向させて半割れ体９０同士を組み合わせて固定部材９を取り付ける（図５（ｃ））。図２に示すように各半割れ体９０には互いの突き合せ部分に半割れ体９０同士で嵌合する凹凸形状が形成されており、これらを嵌合することによって容易に固定部材９を形成することができる。半割れ体９０同士を突き合せることによって、光ファイバ取付部２２の外周面に被せた保護チューブ８ｂに対して上述した押圧がかかる。
【００９５】
次いで、固定部材９にゴムブーツ１０を取り付ける（図５（ｄ））。なお、ゴムブーツ１０は、スプリング押し５の光ファイバ挿通用貫通穴１６に素線部８ａを通す前に、予め光ファイバコード８に通しておくとよい。
【００９６】
ここで、光フェルール３およびこの後部に配設されるピン基台２３への素線部８ａの設置に関しては、図５（ｄ）に示す構成を形成した後に、光フェルール３およびピン基台２３に素線部８ａを挿通させてもよいし、光フェルール３およびピン基台２３に素線部８ａを挿通固定させた後に、スプリング押し５、固定部材９、およびゴムブーツ１０をこの順で取り付けることも可能である。
【００９７】
スプリング押し５を取り付ける前に光フェルール３およびピン基台２３に素線部８ａを挿通固定させる場合は、次の変形例に示す組み立て手順に沿う。
・組み立て手順の変形例
先ずは、先述と同様に、光ファイバコード８の一端から所定の長さほど保護チューブ８ｂを除去して素線部８ａを露出させる。なお、残った保護チューブ８ｂの先端を例えば図２に示すように切り欠く作業は、素線部８ａを露出させる工程において行ってもよいし、光ファイバ取付部２２の外周面に保護チューブ８ｂを被せる直前におこなってもよい。
【００９８】
次いで、露出した素線部８ａをピン基台２３に通した後に、露出した素線部８ａの先端部を図１に示した光フェルール３に挿通し、光フェルール３の前端面を成端した後に、素線部８ａを光フェルール３に固定する。光フェルール３の後部に延びる素線部８ａの複数の光ファイバ素線をテープ状に纏めてテープファイバを形成し、このテープファイバ部分にピン基台２３を位置決めした後、ピン基台２３と光フェルール３とを嵌合固定する。
【００９９】
次いで、ピン基台２３の後部に延びた素線部８ａにスプリング押し５を形成する。これ以降の手順は先述した手順と同じである。以上が、組み立て手順の変形例である。
【０１００】
〔３〕光コネクタの変形例１
以下、光コネクタ１の変形例を図６を参照して説明する。図６は、図３に対応する変形例の部分断面図である。なお、本変形例では、前記実施形態との相違点について説明するため、説明の便宜上、前記実施形態で説明した部材と同一の機能を有する部材には同一の部材番号を付し、その説明を省略する。
【０１０１】
図６に示す光コネクタ１´は、スプリング押し５´の光ファイバ取付部２２´（筒状構造部）が、ゴムブーツ取付部を兼ねており、ゴムブーツ１０は固定部材９´を覆わない構成となっている点が、前記実施形態と異なる。
【０１０２】
図６に示す光コネクタ１´は、光ファイバ取付部２２´の外周面に保護チューブ８ｂが被さっており、光ファイバ取付部２２´の平坦面２２ｂを覆っている保護チューブ８ｂの領域において、固定部材９´が保護チューブ８ｂを平坦面２２ｂに向かって押圧している。一方、段差部２２ａを覆っている保護チューブ８ｂの領域には、ゴムブーツ１０の内周が被さっている。
【０１０３】
〔４〕光コネクタの変形例２
上述の実施形態のコネクタ１は、図３に示すように、光ファイバ取付部２２の外周面に、保護チューブ８ｂを屈曲させその引き抜きに対する抵抗となる段差部２２ａを形成し、この段差部２２ａが、固定部材９の押圧部９１に設けられた保護チューブ８ｂを押圧変形させる突出部９３の後側近傍に形成されることによって、段差部２２ａと突出部９３とによって保護チューブ８ｂの屈曲状態を保持している。しかしながら、本発明はこれに限定されるものではない。例えば、保護チューブ８ｂを屈曲させその引き抜きに対する抵抗となる段差部を、固定部材９の押圧部９１の内周壁に設けることも可能であり、この場合には、保護チューブ８ｂを押圧変形させる突出部を光ファイバ取付部２２の外周面に設ける。そして、光ファイバ取付部２２の外周面に設けた突出部が、固定部材９の押圧部９１の内周壁に向かって保護チューブ８ｂを押圧する構成としてもよい。
【０１０４】
なお、本変形例２は、外力を受けていない保護チューブの内径が、光ファイバ取付部２２の外径よりも大きい場合に、好適な構成である。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０６】
本発明に係る光コネクタは、単心光ファイバコネクタとしても多心光ファイバコネクタとしても好適に利用することができる。
【符号の説明】
【０１０７】
１、１´  光コネクタ
２  コネクタハウジング
２ａ  係合穴
２ｃ  係合凹所
２ｄ  段差状拡径部
３  光フェルール（フェルール）
３ａ  ピン穴
４  コイルスプリング
５、５´  スプリング押し（ハウジング本体、筒状構造部）
６  カップリング
７  カップリング用スプリング
８  光ファイバコード
８ａ  素線部
８ｂ  保護チューブ
９、９´  固定部材
９ｃ  第一凹部（位置決め部）
９ｄ  第二凹部（位置決め部）
１０  ゴムブーツ
１０ａ  長穴
１０ｂ  第一突起部（位置決め部）
１０ｃ  第二突起部（位置決め部）
１５  半体
１６  光ファイバ挿通用貫通穴
１６´  半円状凹所
１８  係合爪
２０  基部
２０ａ  突出部
２０ｂ  中央部
２０ｅ  接合面
２１  アーム部
２２、２２´  光ファイバ取付部（筒状構造部）
２２ａ  段差部（突出部）
２２ｂ  平坦面
２２ｃ  傾斜面
２３  ピン基台
２６  係合突起
２７  係合穴
２８  肉厚部
２９  肉薄部
５５  平坦部
５６  突部
９０  半割れ体（分割体）
９１  押圧部
９２  ゴムブーツ取付部
９３  突出部（段差部）
【図１】
2015184359.tif 000003
【図２】
2015184359.tif 000004
【図３】
2015184359.tif 000005
【図４】
2015184359.tif 000006
【図５】
2015184359.tif 000007
【図６】
2015184359.tif 000008
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
保護チューブで保護した光ファイバ素線の端末に組み立てられた光コネクタであって、
前記光コネクタにおけるフェルールを収容するハウジング本体の後端部に形成され、前記フェルールから延出する前記光ファイバ素線を挿通すると共に外周面に前記保護チューブを固定する筒状構造部と、
前記筒状構造部に取り付けた際に、前記保護チューブを前記外周面との間に挟み込む内壁面を有する固定部材と、を備え、
前記筒状構造部の前記外周面および前記固定部材の前記内壁面のうちの一方には、前記保護チューブを押圧変形させることによって前記保護チューブを前記筒状構造部に固定する突出部を形成し、前記筒状構造部の前記外周面および前記固定部材の前記内壁面のうちの他方には、前記突出部の後側近傍に、後方に向かうほど前記突出部の突出方向とは反対方向に向かう傾斜面のみからなる段差部を形成し、これによって、前記段差部に接触した前記保護チューブを前記突出部の突出方向とは反対方向に屈曲させて前記保護チューブに段差を形成し、前記保護チューブの引き抜きに対する抵抗としたことを特徴とする光コネクタ。
【請求項２】
前記筒状構造部は、前記ハウジング本体を構成するスプリング押しに形成されていることを特徴とする請求項１に記載の光コネクタ。
【請求項３】
前記固定部材は、前記筒状構造部を囲むように配置される複数の分割体が組み合わされてなり、
前記複数の分割体を前記固定部材として組み合わせて前記筒状構造部に取り付けた時に、前記複数の分割体は、前記突出部によって前記保護チューブを押圧変形させた状態を維持する程度の剛性をそれぞれ有する請求項１又は２に記載の光コネクタ。
【請求項４】
前記保護チューブは、伸び率が１４０％以上であることを特徴とする請求項１から３までの何れか１項に記載の光コネクタ。
【請求項５】
前記保護チューブは、シリコンチューブであることを特徴とする請求項１から４までの何れか１項に記載の光コネクタ。
【請求項６】
前記筒状構造部の外径は、外力を受けていない前記保護チューブの内径よりも大きいことを特徴とする請求項１から５までの何れか１項に記載の光コネクタ。
【請求項７】
前記筒状構造部の前記外周面および前記固定部材の前記内壁面のうちの前記一方には、前記段差部より前側に平坦面が設けられており、前記固定部材を前記筒状構造部に取り付けた時に、前記突出部の稜線の一部分は、前記平坦面に沿って平行であることを特徴とする請求項１から６までの何れか１項に記載の光コネクタ。
【請求項８】
前記固定部材には、ブーツを取り付けるブーツ取付部が形成されていることを特徴とする請求項１から７までの何れか１項に記載の光コネクタ。
【請求項９】
前記ブーツ取付部およびブーツには、ブーツがブーツ取付部に対して位置ずれすることを防ぐための位置決め部が設けられていることを特徴とする請求項８に記載の光コネクタ。
【請求項１０】
請求項１から９までの何れか１項に記載の光コネクタに保護チューブを引き留める、保護チューブの引き留め方法であって、
前記光コネクタにおけるフェルールを収容するハウジング本体の後端部に形成され、前記フェルールから延出する前記光ファイバ素線を挿通する筒状構造部の外周面に、前記保護チューブを被せて、前記保護チューブを前記外周面との間に挟み込む内壁面を有する固定部材を前記筒状構造部に取り付けて、
前記筒状構造部の前記外周面および前記固定部材の前記内壁面のうちの前記一方に形成した前記突出部の後側近傍において、それらのうちの前記他方に形成した前記段差部によって前記段差部に接触した前記保護チューブを前記突出部の突出方向とは反対方向に屈曲させて前記保護チューブに段差を形成し、且つ、前記突出部によって前記保護チューブを押圧変形させることによって前記保護チューブを前記筒状構造部に固定することを特徴とする保護チューブの引き留め方法。